(57)【要約】【課題】複数のシーンが記録された記録媒体から所望のシーンを簡単に探索できるようにする。【解決手段】複数のシーンが記録された記録媒体１０４からシーンＫを再生し、シーンＫの最後のフレーム（Ｋ−last）を復号した段階で、シーン（Ｋ＋１）の先頭のフレーム（Ｋ＋１−first）を再生する。そして、シーンＫの最後のフレーム（Ｋ−last）を表示装置１１０に表示した段階で、前記再生したーン（Ｋ＋１）の先頭のフレーム（Ｋ＋１−first）をも表示装置１１０の同一画面上に表示するようにして、シーンの切れ目を容易に確認できるようにする。【選択図】図１
2010272151.tif 000002
【特許請求の範囲】
【請求項１】
複数のシーンが記録された第１の記録媒体から第１のシーンを再生する再生手段と、
前記再生手段によって再生された第１のシーンを表示装置に表示する表示手段と、
前記再生手段によって再生された第１のシーンに係わる管理情報を取得する取得手段と、
前記取得手段によって取得された管理情報に基づいて、前記再生手段により前記第１のシーンの次に再生すべき第２のシーンの再生を開始する際に、前記第１のシーンと前記第２のシーンとを前記表示装置の同一の表示画面に表示するように前記表示手段を制御する制御手段とを備えたことを特徴とする再生装置。
【請求項２】
ユーザの操作に応じてコマンドを入力する操作手段をさらに備え、
前記制御手段は、前記表示手段により前記第１のシーンと前記第２のシーンとが同一の表示画面に表示されている場合に、前記第１のシーンに対するコマンドを前記操作手段から入力可能とすることを特徴とする請求項１に記載の再生装置。
【請求項３】
前記再生手段は、前記第１のシーンを再生した後に、前記第２のシーンを構成する最初のフレームを再生し、
前記制御手段は、前記第１のシーンを構成する最後のフレームと、前記第２のシーンを構成する最初のフレームとを同一の表示画面に表示するように前記表示手段を制御することを特徴とする請求項１または２に記載の再生装置。
【請求項４】
前記第１のシーンと前記第２のシーンとを同一の表示画面に表示するように再生するモード、または前記第１のシーンから前記第２のシーンへシームレスに再生するモードに設定するモード設定手段をさらに備えたことを特徴とする請求項１〜３の何れか１項に記載の再生装置。
【請求項５】
前記制御手段は、前記表示手段により前記第１のシーンと前記第２のシーンとが同一の表示画面に表示されている場合に、前記第１のシーンに対して分割するコマンド、前記第１のシーンをプレイリストに追加するコマンド、前記第１のシーンを前記第１の記録媒体から削除するコマンド、前記第１のシーンを繰り返し再生するコマンド、または前記第１のシーンを逆サーチするコマンドを前記操作手段から入力可能とすることを特徴とする請求項２に記載の再生装置。
【請求項６】
前記第１の記録媒体とは異なる第２の記録媒体に前記第１のシーンを記録する記録手段をさらに備え、
前記表示手段により前記第１のシーンと前記第２のシーンとが同一の表示画面に表示されている間に、前記操作手段から前記第１のシーンをコピーするコマンドを入力したことに応じて、前記制御手段は、前記表示手段によって表示されている第１のシーンを前記第２の記録媒体に記録するように前記記録手段を制御することを特徴とする請求項２に記載の再生装置。
【請求項７】
前記第１のシーンと前記第２のシーンとが同一の表示画面に表示されている間に、前記操作手段から前記第２のシーンを再生するコマンドが入力されることに応じて、前記制御手段は、前記第２のシーンを前記第１の記録媒体から再生するように前記再生手段を制御することを特徴とする請求項２に記載の再生装置。
【請求項８】
前記第１のシーンと前記第２のシーンとが同一の表示画面に表示されてから所定の時間、前記操作手段からコマンドの入力がない場合に、前記制御手段は、前記第２のシーンを前記第１の記録媒体から再生するように前記再生手段を制御することを特徴とする請求項２に記載の再生装置。
【請求項９】
前記制御手段は、予め設定された時間だけ前記第１のシーンと前記第２のシーンとを同一の表示画面に表示するように前記表示手段を制御することを特徴とする請求項１〜８の何れか１項に記載の再生装置。
【請求項１０】
前記取得手段は、前記再生手段により前記第１の記録媒体に記録されているシーンを再生する前に、前記再生するシーンの管理情報を取得することを特徴とする請求項１〜９の何れか１項に記載の再生装置。
【請求項１１】
前記第１のシーンを前記第２の記録媒体に記録する際に、前記第２の記録媒体に記録される第１のシーンの管理情報を生成する管理情報生成手段をさらに備えたことを特徴とする請求項６に記載の再生装置。
【請求項１２】
複数のシーンが記録された記録媒体から第１のシーンを再生する再生工程と、
前記再生工程において再生された第１のシーンを表示装置に表示する表示工程と、
前記再生工程において再生された第１のシーンに係わる管理情報を取得する取得工程と、
前記取得工程において取得された管理情報に基づいて、前記再生工程において前記第１のシーンの次に再生すべき第２のシーンの再生を開始する際に、前記第１のシーンと前記第２のシーンとを前記表示装置の同一の表示画面に表示するように前記表示工程における処理を制御する制御工程とを備えたことを特徴とする再生装置の制御方法。
【請求項１３】
複数のシーンが記録された記録媒体から第１のシーンを再生する再生工程と、
前記再生工程において再生された第１のシーンを表示装置に表示する表示工程と、
前記再生工程において再生された第１のシーンに係わる管理情報を取得する取得工程と、
前記取得工程において取得された管理情報に基づいて、前記再生工程において前記第１のシーンの次に再生すべき第２のシーンの再生を開始する際に、前記第１のシーンと前記第２のシーンとを前記表示装置の同一の表示画面に表示するように前記表示工程における処理を制御する制御工程とをコンピュータに実行させることを特徴とするプログラム。
【請求項１４】
請求項１３に記載のプログラムを記憶したことを特徴とするコンピュータ読み取り可能な記憶媒体。
【請求項１５】
記録媒体から複数のシーンの動画データを再生する再生手段と、
前記再生手段により再生された動画データに係る画像を表示装置に表示する表示手段と、
前記複数のシーンのうちの第１のシーンの動画データの再生を開始した後、前記第１のシーンの最後の画面を前記表示装置に表示すると、前記第１のシーンの最後の画面と前記第１のシーンとは異なる第２のシーンの先頭の画面とを同一画面に表示するように前記再生手段と前記表示手段とを制御する制御手段とを備えたことを特徴とする再生装置。
【請求項１６】
前記制御手段は、前記第１のシーンの最後の画面と前記第１のシーンとは異なる第２のシーンの先頭の画面とを同一画面に表示した後、所定の時間が経過すると、前記第２のシーンの動画データの再生を開始するように前記再生手段を制御すると共に、前記第２のシーンの画像を表示するように前記表示手段を制御することを特徴とする請求項１５に記載の再生装置。
【請求項１７】
前記制御手段は、前記第１のシーンの最後の画面と前記第１のシーンとは異なる第２のシーンの先頭の画面とを、スクロールさせながら所定の時間、表示するように前記表示手段を制御することを特徴とする請求項１５または１６に記載の再生装置。
【発明の詳細な説明】
【技術分野】
【０００１】
本発明は再生装置、再生装置の制御方法、プログラム及び記憶媒体に関し、特に、複数のシーンが記録された記録媒体から画像データを再生する際に用いて好適な技術に関する。
【背景技術】
【０００２】
従来、デジタルビデオカメラや、デジタルカメラ、携帯電話などは、被写体を撮影して、動画像データまたは静止画像データとしてディスク状媒体、ハードディスク、フラッシュメモリ等に記録し、再生することができる。このような装置では、記録開始操作及び記録停止操作によって、その間に記録される動画像データを１つのシーンとして記録することができる。
【０００３】
図３（ａ）は、記録媒体に第１のシーンから順に３つのシーンが記録された状態を示す図である。
図３（ａ）に示すように、記録媒体に記録された画像データを再生する場合、記録された順番にシーン１からシーン２、シーン３の順で再生される。この時、シーン１からシーン２、シーン２からシーン３へのつなぎ目はシームレスに再生され、一瞬にして記録日時の異なるシーンへの再生に移行する。
【０００４】
例えば、視聴者が、シーン２の最後のほうで、今見ていたシーンをもう一度見たいと思っても、シーン３の再生に移行してしまっている場合がある。その場合は、一時停止操作を行って一時停止状態にし、逆再生または逆サーチにより所望の画像を探さなければならない。もしくは、再生停止操作を行い、図７に示すように、記録された各シーンのインデックスを示す画像を表示して、その中からシーン２を選択して再生するという操作をしなければならない。このように、所望の画像を見たい場合には所定の操作が必要になる。
【０００５】
特に、図３（ｂ）に示すように、記録時間が数秒の短いシーンが多数記録されているような場合は、一つ一つのシーンが数秒でシームレスに切り替って再生されていく。したがって視聴者が、所望の画像を見つけても、操作を行う段階で既に数シーンを再生してしまっていることもある。また、インデックス画面から探す場合は、切り替ったインデックス画面に所望のシーンが表示されているとは限らない。したがって、結局画面送り、シーン選択、再生、サーチ等を行って所望の画像を探索しなければならなく、さらに操作が煩雑となる。
【０００６】
このような問題点を解決するために、例えば、特許文献１では、映画を記録したＤＶＤからクライマックスの場面を視聴するために、早送り再生（サーチ）して探す場合、タイトルの終端に来たらタイトルを終了しないで一時停止する技術が提案されている。この技術によれば、タイトルの終端で一時停止するので、視聴者は、その後、逆再生、逆サーチをして所望の場面を簡単に探すことができ、再生して視聴することができる。
【先行技術文献】
【特許文献】
【０００７】
【特許文献１】特開２００５−１５０８７１号公報
【発明の概要】
【発明が解決しようとする課題】
【０００８】
しかしながら、特許文献１に記載の技術では、早送り再生（サーチ）してタイトルの終端で一時停止するだけであり、すなわち、記録媒体から順に再生されるシーンの、最後に再生されるシーンで一時停止する。一方、ビデオカメラで撮影された映像のように複数のシーンから構成されている場合は、所望のシーンがいつ再生されるか把握できない。このような場合に早送り再生を行うと、所望のシーンを通過してしまうことがある。
【０００９】
したがって、視聴者が所望のシーンを繰り返して再生したい場合や、同じ日付に撮影したシーンの始めから再生したい場合などに、逆再生、逆サーチしてシーンの始めを探して再生しなければならない。このように、シーンを探索しなければならない分多くの操作が必要となり、待ち時間を十分に短縮することができない。
【００１０】
また、再生したシーンに対してすぐに編集したい場合にも、一時停止した後に、対象となるシーンを探索し、さらにメニュー表示などを行って編集モードに切り替える操作が必要となる。このように、多くの操作が必要となるという問題がある。
【００１１】
本発明は前述の問題点に鑑み、複数のシーンが記録された記録媒体から所望のシーンを簡単に探索できるようにすることを目的としている。
【課題を解決するための手段】
【００１２】
本発明の再生装置は、複数のシーンが記録された第１の記録媒体から第１のシーンを再生する再生手段と、前記再生手段によって再生された第１のシーンを表示手段に表示する表示制御手段と、前記再生手段によって再生された第１のシーンに係わる管理情報を取得する取得手段と、前記取得手段によって取得された管理情報に基づいて、前記再生手段により前記第１のシーンの次に再生すべき第２のシーンの再生を開始する際に、前記第１のシーンと前記第２のシーンとを前記表示手段の同一の表示画面に表示するように前記表示制御手段を制御する制御手段とを備えたことを特徴とする。
【発明の効果】
【００１３】
本発明によれば、視聴者はシーンの切れ目を容易に確認することができる。これにより、視聴者にとって所望のシーンを簡単に探索することができる。
【図面の簡単な説明】
【００１４】
【図１】本発明の第１の実施形態に係る記録再生装置の構成例を示すブロック図である。
【図２】本発明の第２の実施形態に係る記録再生装置の構成例を示すブロック図である。
【図３】記録媒体に複数のシーンが記録された状態を示す図である。
【図４】レビュー再生モード中の処理手順の一例を示すフローチャートである。
【図５】再生モード中の処理手順の一例を示すフローチャートである。
【図６】コピーの処理手順の一例を示すフローチャートである。
【図７】記録された各シーンのインデックスを示す図である。
【図８】記録媒体に記録されるシーン及び管理情報の一例を示す図である。
【図９】管理情報の内容の一例を示す図である。
【図１０】複数のシーンの代表画像のインデックスの一例を示す図である。
【図１１】シーンＫとシーン（Ｋ＋１）とが同時に表示される状態を示す図である。
【図１２】逆レビュー再生モード中の処理手順の一例を示すフローチャートである。
【発明を実施するための形態】
【００１５】
（第１の実施形態）
以下、本発明の第１の実施形態について図面を参照しながら説明する。
図１は、本実施形態に係る記録再生装置１０の構成例を示すブロック図である。
図１において、記録再生装置１０は、ＣＣＤなどの撮像素子を含む撮像部１００、カメラ信号処理を行うカメラ信号処理回路１０１、及び動画データを符号化してその情報量を削減するための符号化回路１０２を備えている。さらに、記録媒体１０４に動画データ等を記録するための記録回路１０３、記録媒体１０４に記録するシーンの管理情報を生成する管理情報生成回路１０５、及び各ブロックで共有するメモリ１０６を備えている。さらに、記録媒体１０４から信号を再生する再生回路１０７、再生された符号化データを復号する復号化回路１０８、表示用にデータ処理する表示回路１０９、及びＬＣＤ等の表示装置１１０を備えている。さらに、記録媒体１０４に記録されているシーンの管理情報を取得する管理情報取得回路１１１、操作スイッチ１１３からのコマンドを入力可能であり、各ブロックを制御する制御回路１１２、操作スイッチ１１３、及びモード設定回路１１４を備えている。また、これらの各ブロックは、バス１１５を介して接続されている。
【００１６】
操作者により操作スイッチ１１３が操作されて撮影指示がなされると、操作スイッチ１１３から撮影指示の情報が制御回路１１２に入力され、制御回路１１２は各ブロックを記録モードにする。
【００１７】
撮像部１００は、不図示のレンズから入力される画像情報を光電変換してカメラ信号処理回路１０１に送出する。カメラ信号処理回路１０１は光電変換された画像情報をＡＤ変換し、輝度／色差抽出、ＷＢ、γ補正、輪郭補正等の処理を行い、カメラ信号処理した動画データをメモリ１０６に記憶する。
【００１８】
符号化回路１０２は、カメラ信号処理回路１０１でカメラ信号処理された動画データをメモリ１０６から読み出し、例えば、ＭＰＥＧ−２方式、Ｈ．２６４方式等による圧縮処理を行う。そして、符号化回路１０２は、符号化した動画データをメモリ１０６に記憶する。
【００１９】
記録回路１０３は、符号化回路１０２で符号化された動画データをメモリ１０６から読み出して、記録媒体１０４に記録するための誤り訂正符号を付加し、記録のための変調を施して、記録媒体１０４に記録する。
【００２０】
管理情報生成回路１０５は、制御回路１１２から撮影の指示を受けると、図９（ａ）に示すような現在記録しているシーンのシーン番号、撮影開始した日時情報、記録する動画のサイズの情報を作成し、管理情報Ａとしてメモリ１０６に記憶する。さらに管理情報生成回路１０５は、図９（ｂ）に示すように、記録している動画データの各フレームの記録媒体１０４における先頭からのオフセットアドレスの情報を作成し、管理情報Ｂとしてメモリ１０６に記憶する。
【００２１】
なお、本実施形態では、操作者による記録（撮影）開始の指示から記録停止の指示までの間に記録される一連の動画データを一つのシーンとして管理し、また、一つのシーンの動画データを一つの動画ファイルとして記録する。
【００２２】
操作者により操作スイッチ１１３が操作されて撮影停止の指示がなされると、操作スイッチ１１３から制御回路１１２に撮影停止指示の情報が入力され、制御回路１１２は各ブロックを記録停止モードにする。そして、記録回路１０３は、撮影停止指示に応じて記録媒体１０４に対する動画データの記録を停止する。そして、記録回路１０３は、メモリ１０６に記憶された図９（ａ）に示すような管理情報Ａを、記録媒体１０４に管理ファイルＡとして記録する。さらに、記録回路１０３は、メモリ１０６に記憶された図９（ｂ）に示すような管理情報Ｂを、記録されたシーンと対応付けて記録媒体１０４に管理ファイル（Ｂ−１）として記録する。
【００２３】
以上のようにして、図８に示すように記録媒体１０４には、複数のシーンと各シーンの管理情報とが記録されていくことになる。本実施形態では、シーン１〜シーンＮが記録されているものとする。
【００２４】
本実施形態では、記録媒体１０４からシーンの動画データを再生する際に次シーンの再生へ移行するとき、現シーンと次シーンとを同じ表示画面上に表示するモード（以下、レビュー再生モード）と、通常の再生モード（以下、シームレス再生モード）とがある。操作者は操作スイッチ１１３を操作することにより再生モードを何れかのモードに切り替え、設定することができる。例えば、レビュー再生モードに設定する場合には、操作スイッチ１１３からの入力信号によりモード設定回路１１４は、再生モードを現シーンと次シーンとを同じ表示画面上に表示するレビュー再生モードに設定する。
【００２５】
次に、再生モードにおける動作について説明する。
操作スイッチ１１３から再生指示の情報が制御回路１１２に入力されると、制御回路１１２は各ブロックを再生モードにする。このとき、前述した何れかの再生モードのうち、モード設定回路１１４により設定された再生モードにする。
【００２６】
再生回路１０７は、記録媒体１０４に記録された管理ファイルＡを読み出し、管理情報取得回路１１１は、メモリ１０６に管理情報Ａとして記憶する。そして、メモリ１０６に記憶された管理情報Ａに基づいて、再生回路１０７は、最後に撮影されたシーンＮから所定数のシーンの代表画像データを記録媒体１０４から読み出し、メモリ１０６に記憶する。ここで代表画像データは、そのシーンにおける最初のフレームを再生することによって生成される。なお、記録媒体１０４にそのシーンにおける代表画像データが予め記録されている場合は、その代表画像データを読み出す。
【００２７】
次に、復号化回路１０８は、メモリ１０６に記憶された各シーンの代表画像データを復号し、復号した代表画像データをメモリ１０６に記憶する。表示回路１０９は表示手段として機能し、メモリ１０６に記憶された復号済みの代表画像データを読み出し、表示用のサイズに変換して、図１０（ａ）に示すように、各シーンの代表画像として表示装置１１０に表示する。なお、本実施形態では、図１０（ａ）に示す様に、最後に撮影されたシーンを含めて６シーン（シーンＮ〜シーン（Ｎ−５））の代表画像データを表示装置１１０に表示する。
【００２８】
図１０（ａ）においては、シーンＮの代表画像にシーンの選択枠１０００が表示されているが、操作者は操作スイッチ１１３を操作して選択枠１０００を動かすことによって、再生するシーンを選択することができる。また、選択枠１０００を動かすことにより、図１０（ｂ）に示すように、代表画像の一覧画面のページを変更することができる。一覧画面のページが更新されると、制御回路１１２は、管理情報Ａに基づいて、次の６シーン分の代表画像データを再生し、表示するよう、各回路を制御する。
【００２９】
次に、図１０（ｂ）に示す状態で、操作者により操作スイッチ１１３が操作され、シーンＫが選択された例について説明する。制御回路１１２は、操作スイッチ１１３からの入力信号を入力し、再生回路１０７は、選択されたシーンＫの管理ファイル（Ｂ−Ｋ）を記録媒体１０４から読み出し、メモリ１０６に記憶する。そして、再生回路１０７は、シーンＫの動画データを記録媒体１０４から順次読み出し、メモリ１０６に記憶する。
【００３０】
復号化回路１０８は、メモリ１０６に記憶されたシーンＫの動画データを読み出し、符号化フォーマットに従って復号処理を行い、復号した動画データをメモリ１０６に記憶する。そして、表示回路１０９は、復号化回路１０８で復号された動画データをメモリ１０６から読み出し、画面のサイズを変更（縮小）して表示装置１１０に送出し、表示装置１１０においてシーンＫの動画を表示する。
【００３１】
ここで、シームレス再生モードが選択されていた場合には、シーンＫの最後まで再生すると、次に撮影されたシーンＫ＋１の動画データを引き続いて記録媒体１０４から再生し、復号、表示する。
【００３２】
次に、レビュー再生モードの処理について説明する。図４は、レビュー再生モード中の処理手順の一例を示すフローチャートである。なお、本実施形態では、第１のシーンとしてシーンＫを再生している時を例に説明する。また、図４に示す各処理は、制御回路１１２の制御により行われる。
ユーザによりレビュー再生開始の指示があると、停止指示など他の指示があったか否かを判断する（Ｓ４０１）。この判断の結果、他の指示があった場合は、レビュー再生処理を終了する。一方、他の指示がない場合、シーンＫの最後のフレームまで記録媒体１０４から再生されて復号され、メモリ１０６に記憶されたか否かを判断する（Ｓ４０２）。この判断の結果、最後のフレームまで復号が完了していない場合は、そのままシーンＫの再生を継続し、Ｓ４０１に戻る。
【００３３】
一方、Ｓ４０２の判断の結果、最後のフレームまで復号が完了してメモリ１０６に記憶されている場合は、再生回路１０７は、第２のシーンとして次のシーン（Ｋ＋１）の動画データを記録媒体１０４から再生する。そして、復号化回路１０８は、再生された動画データを復号してメモリ１０６に記憶する（Ｓ４０３）。その後、記録媒体１０４からの動画データの再生を一時停止する。なお、本実施形態では、シーン（Ｋ＋１）の先頭のフレームを復号し、メモリ１０６に記憶すると、再生を一時停止する。
【００３４】
次に、表示回路１０９により、シーンＫの最後のフレーム（Ｋ−last）が表示されたかどうかを判断する（Ｓ４０４）。この判断の結果、まだ表示されていない場合は、そのままメモリ１０６に記憶されているシーンＫの表示を続ける。一方、図１１（ａ）に示すように、シーンＫの最後のフレーム（Ｋ−last）が表示された場合、表示回路１０９は、次のシーン（Ｋ＋１）の先頭フレーム（Ｋ＋１−first）をメモリ１０６から読み出す。そして、シーンＫの最後のフレーム（Ｋ−last）と同じ画面上に表示する。このとき、図１１（ｂ）に示すように、例えば、シーンＫのフレーム（Ｋ−last）を所定の時間かけて左側へスクロール（ワイプ）させて次のシーン（Ｋ＋１）の先頭フレーム（Ｋ＋１−first）を表示する（Ｓ４０５）。
【００３５】
この様にスクロール表示を開始すると、表示開始してからの経過時間を計測し、所定時間経過したかどうかを判別する（Ｓ４０６）。そして、スクロール表示を開始してから処理時間経過し、スクロール表示が終了すると、次のシーンＫ＋１の先頭フレームから表示回路１０９による表示を開始する。さらに、再生回路１０７は、記録媒体１０４から一時停止していたシーン（Ｋ＋１）の動画データの再生を再開し（Ｓ４１２）、Ｓ４０１に戻る。
【００３６】
また、スクロール表示が終了していない場合、操作スイッチ１１３から通常の再生指示の情報が制御回路１１２に入力されたか否かを判断する（Ｓ４０７）。この判断の結果、通常の再生指示があった場合は、表示回路１０９は、次のシーン（Ｋ＋１）の先頭フレーム（Ｋ＋１−first）から表示を開始する。そして、再生回路１０７は、記録媒体１０４から一時停止していたシーン（Ｋ＋１）の動画データの再生を再開する（Ｓ４１２）。そして、シーン（Ｋ＋１）の場合も同様に処理を繰り返す。また、通常再生指示が無い場合、操作スイッチ１１３から繰り返し再生の指示が制御回路１１２に入力されたか否かを判断する（Ｓ４０８）。この判断の結果、繰り返し再生の指示があった場合は、再生回路１０７は、シーンＫの先頭フレーム（Ｋ−first）に戻り、このシーンＫの先頭フレームから再度再生を開始する（Ｓ４１３）そして、Ｓ４０１に戻る。
【００３７】
また、繰り返し再生指示がなかった場合は、逆再生の指示があったか否かを判断する（Ｓ４０９）。この判断の結果、逆再生の指示があった場合は、再生回路１０７は、シーンＫの最後のフレーム（Ｋ−last）から逆再生を開始する（Ｓ４１４）。そして、逆再生処理に移行する（Ｓ４１６）。
【００３８】
一方、逆再生の指示がなかった場合は、逆サーチの指示があったか否かを判断する（Ｓ４１０）。この判断の結果、逆サーチの指示があった場合は、シーンＫの最後のフレーム（Ｋ−last）から逆サーチ再生を開始し（Ｓ４１５）、逆再生処理に移行する（Ｓ４１６）。
【００３９】
また、逆サーチ再生指示がなかった場合、他の指示があるかどうか判別する（Ｓ４１１）。他の指示があった場合には、レビュー再生処理を終了する。また、他の指示が無い場合にはＳ４０５に戻る。
【００４０】
次に、Ｓ４１６の逆レビュー再生処理について説明する。
図１２は、Ｓ４１６の逆レビュー再生処理手順の一例を示すフローチャートである。なお、図１２の処理も制御回路１１２の制御により実行される。
逆レビュー再生処理を開始すると、停止指示など他の指示があったか否かを判断する（Ｓ１２０１）。この判断の結果、他の指示があった場合は、逆レビュー再生処理を終了する。一方、他の指示がない場合、シーンＫの先頭のフレームまで記録媒体１０４から逆再生されて復号され、メモリ１０６に記憶されたか否かを判断する（Ｓ１２０２）。この判断の結果、先頭のフレームまで復号が完了していない場合は、そのままシーンＫの逆再生を継続し、ステップＳ１２０１に戻る。
【００４１】
一方、先頭のフレームまで復号が完了してメモリ１０６に記憶されている場合は、再生回路１０７は、第２のシーンとして前のシーン（Ｋ−１）の動画データを記録媒体１０４から逆再生する。そして、復号化回路１０８は、逆再生された動画データを復号してメモリ１０６に記憶する（Ｓ１２０３）。その後、記録媒体１０４からの動画データの逆再生を一時停止する。本実施形態では、前のシーンＫ−１の先頭フレームのデータをメモリ１０６に記憶すると再生を一時停止する。
【００４２】
次に、表示回路１０９により、シーンＫの先頭のフレームが表示されたかどうかを判断する（Ｓ１２０４）。この判断の結果、まだ表示されていない場合は、そのままメモリ１０６に記憶されているシーンＫの表示を続ける。一方、シーンＫの先頭のフレームが表示された場合、表示回路１０９は、前のシーン（Ｋ−１）の最後のフレームをメモリ１０６から読み出す。そして、シーンＫの先頭のフレームと同じ画面上に表示する。このとき、Ｓ４０５と同様、シーンＫの先頭フレームを所定の時間かけて左側へスクロール（ワイプ）させて前のシーン（Ｋ−１）の最後のフレームを表示する（Ｓ１２０５）。この様にスクロール表示を開始すると、表示開始してからの経過時間を計測し、所定時間経過したかどうかを判別する（Ｓ１２０６）。そして、スクロール表示を開始してから処理時間経過し、スクロール表示が終了すると、前のシーンＫ−１の最後のフレームから表示回路１０９による表示を開始する。さらに、再生回路１０７は、記録媒体１０４から一時停止していたシーンＫ−１の動画データの逆再生を再開する（Ｓ１２１０）。
【００４３】
また、スクロール表示が終了していない場合、操作スイッチ１１３から逆再生の指示が制御回路１１２に入力されたか否かを判断する（Ｓ１２０７）。逆再生の指示があった場合は、表示回路１０９は、前のシーン（Ｋ−１）の最後のフレームから表示を開始する。そして、再生回路１０７は、記録媒体１０４から一時停止していたシーン（Ｋ−１）の動画データの逆再生を再開する（Ｓ１２１０）。そして、シーン（Ｋ−１）の場合も同様に処理を繰り返す。また、逆再生指示が無い場合、操作スイッチ１１３から通常再生の指示が制御回路１１２に入力されたか否かを判断する（Ｓ１２０８）。通常再生の指示があると、表示回路１０９により現シーンＫの先頭フレームから表示を開始すると共に、記録媒体１０４からシーンＫの動画データの再生を開始する（Ｓ１２１１）。そして、図４の通常再生処理に移行する（Ｓ１２１２）。
【００４４】
また、通常再生指示がなかった場合、他の指示があるかどうか判別する（Ｓ１２０９）。他の指示があった場合には、逆レビュー再生処理を終了する。また、他の指示が無い場合にはＳ１２０５に戻る。
【００４５】
なお、本実施形態では、操作スイッチ１１３から指示を送り出しているが、タッチセンサーを利用して表示装置１１０の表示画面上にコマンドボタンを表示してもよい。
【００４６】
以上のように本実施形態によれば、シーンＫの再生時、シーンＫの最後のフレームを表示した時点で、次のシーン（Ｋ＋１）の先頭フレームを同一画面上に表示するようにした。これにより、シーンの切れ目が、視聴者にとってわかり易くなり、視聴者は所望のシーンを簡単に見つけることができる。さらに、シーンＫとシーン（Ｋ＋１）とを表示している時に、シーンＫに対して繰り返し再生、逆再生、逆サーチといったコマンドを受け付けるようにしたので、視聴者は所望のシーンの再確認を迅速に行うことができる。
【００４７】
また、再生コマンドにより、次シーンの再生に移行するので、現在再生されているシーンが所望のシーンでない場合は、すぐに、次のシーンの再生に移行することができる。
【００４８】
（第２の実施形態）
以下、本発明の第２の実施形態について説明する。
図２は、本実施形態に係る記録再生装置２０の構成例を示すブロック図である。本実施形態に係る記録再生装置２０は記録回路及び再生回路を２つ備えている。第１の記録回路１０３及び第１の再生回路１０７は、第１の記録媒体１０４に対して動画像信号（動画データ）やその他のデータを記録し、再生する。また、第２の記録回路２０１及び第２の再生回路２０２は、第２の記録媒体２０３に対して動画像信号やその他のデータを記録し、再生する。これら二つの記録媒体１０４、２０３はそれぞれ、不図示の装着、排出機構により、記録再生装置２０に対し、自由に装着、排出することが可能である。
【００４９】
本実施形態では、ユーザは操作スイッチ１１３を操作することにより、これら二つの記録媒体１０４、２０３のうちの何れかを選択し、選択された記録媒体に対して動画像信号を記録する。また、再生時においても、選択された記録媒体に記録された動画像信号を再生する。
【００５０】
また、本実施形態では、さらに編集回路２００を備えており、プレイリストファイルや管理情報の編集を行う。なお、その他第１の実施形態で説明した図１と同一の構成のものについては同じ符号を付しており、説明は省略する。ここで、プレイリストとは、記録媒体１０４、２０３に記録された動画像信号の再生順序を示すデータである。ユーザは、操作スイッチ１１３を操作することにより、記録媒体１０４、２０３に記録された動画像信号の再生順序を指定することができる。編集回路２００は、ユーザからの指示に従い、動画像信号を指定された順序で再生するためのプレイリストファイルを生成する。生成されたプレイリストファイルは、記録媒体１０４、２０３に記録される。制御回路１１２は、記録媒体１０４、２０３に記録されたプレイリストファイルを再生し、プレイリストの再生が指示されると、このプレイリストファイルにて指定された順序で動画像信号を再生するように、再生回路１０７、２０２を制御する。
【００５１】
図５は、本実施形態に係る記録再生装置２０におけるレビュー再生モード中の処理手順の一例を示すフローチャートである。なお、図４と重複する処理については、図４と同じ符号を付しており、説明は省略する。以下、異なる個所のみ説明する。また、ここでは、第１の記録媒体１０４が選択され、この第１の記録媒体１０４から動画像信号を再生するものとする。
【００５２】
シーンＫが再生され、最後のフレーム（Ｋ−last）が表示されると、Ｓ４０５において、さらにシーン（Ｋ＋１）の先頭フレーム（Ｋ＋１−first）が、図１１（ｂ）に示すように表示され、Ｓ４０６に進む。
【００５３】
Ｓ４０６においてスクロール表示が終了していない場合は、操作スイッチ１１３から入力された情報が編集指示であるかどうかを判断する（Ｓ５０１）。編集指示でない場合は、Ｓ４０８に進み、第１の実施形態と同様の処理を行う。一方、編集指示である場合は、編集指示がプレイリストへの追加指示であるか否かを判断する（Ｓ５０２）。この判断の結果、プレイリストへの追加指示である場合は、編集回路２００は、プレイリストファイルを読み出す。ここで、プレイリストファイルが第１の記録媒体１０４に記録されている場合は、第１の再生回路１０７は、第１の記録媒体１０４が装着された時にプレイリストファイルをメモリ１０６に読み出す。なお、第１の記録媒体１０４にプレイリストファイルが存在しない場合は、編集回路２００は新規にプレイリストファイルを作成する。
【００５４】
そして、編集回路２００は、プレイリストファイルにシーンＫを追加して、メモリ１０６にプレイリストファイルを記憶する（Ｓ５０６）。そして、Ｓ４０６に戻る。その後、第１の記録回路１０３は、メモリ１０６に記憶されたプレイリストファイルを第１の記録媒体１０４に記録する。
【００５５】
一方、プレイリストへの追加指示でない場合は、編集指示がコピー指示であるか否かを判断する（Ｓ５０３）。コピー指示である場合は、コピー処理を行う（Ｓ５０７）。
【００５６】
図６は、Ｓ５０７におけるコピーの処理手順の一例を示すフローチャートである。なお、図６に示す各処理は、制御回路１１２の制御により行われる。
図６のＳ６０１において、Ｓ５０７の処理を開始すると、第２の再生回路２０２は、コピー先の記録媒体である第２の記録媒体２０３が装着され、この第２の記録媒体２０３に対してデータを記録可能な状態となっているかどうかをチェックする（Ｓ６０２）。記録可能な状態となっていない場合は、表示回路１０９は、第２の記録媒体２０３が装着されていない旨の警告を表示装置１１０に表示して操作者に記録媒体を装着するように促す。
【００５７】
次に、制御回路１１２は、操作スイッチ１１３からコピーをキャンセルする指示がされたか否かを判断する（Ｓ６１５）。コピーをキャンセルする指示がされた場合は、そのままコピー処理を終了する（Ｓ６０９）。一方、コピーをキャンセルする指示がされていない場合は、第２の再生回路２０２は、第２の記録媒体２０３が装着されたかどうかを判断する（Ｓ６１６）。第２の記録媒体２０３が装着されていない場合は、Ｓ６１４に戻る。
【００５８】
一方、第２の記録媒体２０３が装着された場合は、第２の再生回路２０２は、第２の記録媒体２０３に対してマウント処理を実行する（Ｓ６１７）。そして、第２の再生回路２０２は、第２の記録媒体２０３に対してマウント処理が成功したかどうかを判断する（Ｓ６１８）。マウント処理が失敗した場合は、表示回路１０９は、マウントエラーした旨のエラー表示を表示装置１１０に表示し（Ｓ６１９）、コピー処理を終了する（Ｓ６０９）。一方、マウント処理が成功した場合は、Ｓ６０３に進む。
【００５９】
一方、Ｓ６０２の判断の結果、記録可能な状態となっている場合は、管理情報取得回路１１１は、第２の記録媒体２０３に記録されている管理情報をすでに取得しているかどうかをチェックする（Ｓ６０３）。このチェックの結果、既に管理情報を取得している場合は、Ｓ６０４に進み、管理情報を取得していない場合は、Ｓ６１０に進む。ここで、取得しているか否かを判断する管理情報は、第１の実施形態で示した管理情報Ａに相当するものである。
【００６０】
そして、第２の再生回路２０２は、第２の記録媒体２０３に管理情報が記録されているか否かをチェックする（Ｓ６１０）。第２の記録媒体２０３に管理情報が記録されている場合は、管理情報を第２の記録媒体２０３から取得し、管理情報Ａとしてメモリ１０６のワークエリアに記憶する（Ｓ６１１）。そして、Ｓ６０４に進む。一方、第２の記録媒体２０３に管理情報が記録されていない場合は、管理情報生成回路１０５は、新規に管理情報Ａを作成し、メモリ１０６のワークエリアに記憶する（Ｓ６１２）。そして、Ｓ６０４に進む。
【００６１】
次に、第２の記録媒体２０３にシーンＫとその管理情報とを記録するだけの空きエリアがあるか否かをチェックする（Ｓ６０４）。空きエリアがない場合は、表示回路１０９は、エラーとして空きエリアがない旨の警告を表示装置１１０に表示し（Ｓ６１９）、コピー処理を終了する（Ｓ６０９）。
【００６２】
一方、空きエリアが存在する場合は、シーンＫを第２の記録媒体２０３にコピーする場合に、同一のファイル名のものが既に記録されていないか否かをチェックする（Ｓ６０５）。同一のファイル名が存在せず、ファイル名を変更する必要がない場合は、Ｓ６０６に進む。
【００６３】
一方、既に同じファイル名が存在するため、ファイル名を変更する必要がある場合は、制御回路１１２は第２の記録媒体２０３に記録されているファイル名と重複しないファイル名を探索する。そして、そのファイル名に動画データ、管理情報のファイル名を変更し（Ｓ６１３）、Ｓ６０６に進む。
【００６４】
次に、第１の再生回路１０７は、第１の記録媒体１０４に記録されたシーンＫの動画データを読み出し、第２の記録回路２０１は、読み出したシーンＫの動画データを第２の記録媒体２０３に記録する（Ｓ６０６）。このようにシーンＫの動画データをコピーし終わると、Ｓ６０７に進む。
【００６５】
次に、編集回路２００は、メモリ１０６に展開された管理情報ＡにシーンＫの管理情報を追加する。さらに、第１の再生回路１０７は、第１の記録媒体１０４からシーンＫの管理ファイル（Ｂ−Ｋ）を読み出し、シーンＫの管理情報Ｂとしてメモリ１０６に記憶する（Ｓ６０７）。
【００６６】
次に、第２の記録回路２０１は、シーンＫの管理情報が追加された管理情報Ａを管理ファイルＡとして第２の記録媒体２０３に記録する。さらに、読み出したシーンＫの管理情報Ｂを管理ファイル（Ｂ−Ｋ）として第２の記録媒体２０３に記録する（Ｓ６０８）。そして、コピー処理を終了する（Ｓ６０９）。
【００６７】
図５の説明に戻り、Ｓ５０３の判断の結果、編集指示がコピーの指示でない場合は、編集指示が削除の指示であるか否かを判断する（Ｓ５０４）。削除の指示である場合は、第１の記録回路１０３は、第１の記録媒体１０４からシーンＫの動画データを削除する。さらに、編集回路２００は、メモリ１０６に読み出されている管理情報ＡからシーンＫの管理情報を削除する。さらには、第１の記録回路１０３は、第１の記録媒体１０４からシーンＫの管理ファイル（Ｂ−Ｋ）を削除する（Ｓ５０８）。そして、第１の記録回路１０３は、シーンＫの管理情報が削除された管理情報Ａを管理ファイルＡとして第１の記録媒体１０４に更新記録し、レビュー再生処理を終了する。なお、レビュー再生処理を終了すると、図１０（ｃ）に示すようなインデックス表示モードになり、必要ならば、シーン（Ｋ＋１）を再生することができる。
【００６８】
一方、編集指示が削除の指示でない場合は、編集指示が分割の指示であるか否かを判断する（Ｓ５０５）。編集指示が分割指示である場合は、制御回路１１２はシーンＫに対して分割編集モードに移行し（Ｓ５０９）、レビュー再生処理を終了する。これにより、操作者は分割編集モードで、シーンＫに対して分割操作を行うことができる。
【００６９】
以上のように本実施形態によれば、次のシーンの先頭フレームを同時に表示しているときに、プレイリストへの追加、シーンの別媒体へのコピー、シーンの削除、シーンの分割といった編集を現シーンに適用できるようにした。これにより、視聴者は所望のシーンに対して編集をすぐに行うことができる。
【００７０】
（本発明に係る他の実施形態）
前述した本発明の実施形態における再生装置を構成する各手段、並びに再生装置の制御方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００７１】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００７２】
なお、本発明は、前述した実施形態の機能を実現するソフトウェアのプログラム（実施形態では図４〜図６、図１２に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００７３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７４】
その場合、プログラムの機能を有していれば、オブジェクトコード、インタプリタにより実行されるプログラム、ＯＳに供給するスクリプトデータ等の形態であってもよい。
【００７５】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００７６】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００７７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７８】
また、その他の方法として、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７９】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００８０】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【符号の説明】
【００８１】
１０７  再生回路、１０９  表示回路、１１１  管理情報取得回路、１１２  制御回路
【図１】
2010272151.tif 000003
【図２】
2010272151.tif 000004
【図３】
2010272151.tif 000005
【図４】
2010272151.tif 000006
【図５】
2010272151.tif 000007
【図６】
2010272151.tif 000008
【図７】
2010272151.tif 000009
【図８】
2010272151.tif 000010
【図９】
2010272151.tif 000011
【図１０】
2010272151.tif 000012
【図１１】
2010272151.tif 000013
【図１２】
2010272151.tif 000014